(57)【要約】【課題】電源端子台を固定した端子台ベースを機体内に配置した際に端子台ベースへの気流衝突による風量低下を抑制でき、端子台ベース内に内部気体温度の伝熱による結露が発生するのを抑制できる消音ボックス付送風機を提供すること。【解決手段】箱状の機体の内部の両吸込型遠心送風機は吐出口と渦巻状のスクロールとケーシング吸込口を設けたケーシング側板を両側面に備え、ケーシング吸込口と対向する機体内面に挟まれたケーシング側板前風路を形成した消音ボックス付送風機であって、電源端子台を固定した端子台ベースを内部に固定した端子台ベースカバーは機体表面からモーター側のケーシング側板前風路に向けて突出して配置する構成としたことにより、端子台ベースカバーを機体内に配置した際に端子台ベースカバーへの気流衝突による風量低下を抑制でき、端子台ベースの結露を抑制できる消音ボックス付送風機を提供できる。【選択図】図１
2010101183.tif 000002
【特許請求の範囲】
【請求項１】
機体吸込口と機体吹出口を対向して設けた箱状の機体の内部に両吸込型遠心送風機を備え、前記両吸込型遠心送風機は吐出口と渦巻状のスクロールとケーシング吸込口を設けたケーシング側板を両側面に備え、羽根車を前記ケーシング吸込口近傍に固定したモーターの回転軸により駆動し、前記モーターに対向した前記機体側面に点検用開口を有し、前記機体吸込口から前記ケーシング吸込口への風路は、前記ケーシング吸込口と対向する前記機体内面に挟まれたケーシング側板前風路を形成した消音ボックス付送風機であって、前記点検用開口と同一面の機体に箱型の端子台ベースカバーを備え、前記端子台ベースカバーの内部に電源端子台を内部に固定した箱型の端子台ベースを配し、前記端子台ベースカバーは前記機体表面から前記モーター側の前記ケーシング側板前風路に向けて突出して配置され、前記点検用開口は点検パネルにて閉塞する構成としたことを特徴とする消音ボックス付送風機。
【請求項２】
端子台ベースカバーを羽根車の回転軸から機体吹出口の間に配置する構成としたことを特徴とする請求項１記載の消音ボックス付送風機。
【請求項３】
機体吸込口と機体吹出口を対向して設けた箱状の機体の内部に片吸込型遠心送風機を備え、前記片吸込型遠心送風機は吐出口と渦巻状のスクロールとケーシング吸込口を片面に設けたケーシング側板を備え、羽根車を前記ケーシング吸込口近傍に固定したモーターの回転軸により駆動し、前記モーターに対向した前記機体側面に点検用開口を有し、前記機体吸込口から前記ケーシング吸込口への風路は、前記ケーシング吸込口と対向する前記機体内面に挟まれたケーシング側板前風路を形成した消音ボックス付送風機であって、前記点検用開口と同一面の機体に箱型の端子台ベースカバーを備え、前記端子台ベースカバーの内部に電源端子台を内部に固定した箱型の端子台ベースを配し、前記端子台ベースカバーは前記機体表面から前記モーター側の前記ケーシング側板前風路に向けて突出して配置され、前記点検用開口は点検パネルにて閉塞し、前記端子台ベースカバーを羽根車の回転軸から機体吹出口の間に配置する構成としたことを特徴とする消音ボックス付送風機。
【請求項４】
端子台ベースカバーの機体吸込口に対向する面をケーシング吸込口側に向けて斜めに形成した整流面とする構成としたことを特徴とする請求項１から３のいずれかに記載の消音ボックス付送風機。
【請求項５】
端子台ベースカバーをスクロールの舌部からスクロール反舌部側平坦部の間の非昇圧スクロール空間の位置に対向して配置する構成としたことを特徴とする請求項１から４のいずれかに記載の消音ボックス付送風機。
【請求項６】
機体内面に吸音材を配し、端子台ベースカバーのケーシング側板前風路に向けた端子台ベースカバー突出高さを端子台ベースカバー側吸音材厚みより高くする構成としたことを特徴とする請求項１から５のいずれかに記載の消音ボックス付送風機。
【請求項７】
端子台ベースカバーと端子台ベースを一体化して形成し、機体に固定する構成としたことを特徴とする請求項１から６のいずれかに記載の消音ボックス付送風機。
【請求項８】
端子台ベースカバーを点検パネルと独立して機体に固定する構成としたことを特徴とする請求項１から７のいずれかに記載の消音ボックス付送風機。
【請求項９】
端子台ベースカバーを水密する端子台カバーを設け、端子台ベースの端子台カバー取り付け面に対向する位置に電源端子台を配置する構成としたことを特徴とする請求項１から８のいずれかに記載の消音ボックス付送風機。
【請求項１０】
施工用吊り金具を端子台ベースカバーを配した面以外の機体外面に固定する構成としたことを特徴とする請求項１から９のいずれかに記載の消音ボックス付送風機。
【発明の詳細な説明】
【技術分野】
【０００１】
本発明は、換気送風機器など電源端子台を固定して使用される消音ボックス付送風機に関する。
【背景技術】
【０００２】
従来、この種の消音ボックス付送風機としては、ダクト状機体内に遠心送風機を配し、吸込側と吐出側の仕切りを設け、電源を接続するインバーターをダクト状機体内部の空気風路ではない部分に収納したものが知られている（例えば、特許文献１参照）。
【０００３】
以下、その消音ボックス付送風機について、図９および図１０を参照しながら説明する。
【０００４】
図９および図１０に示すように、箱状のダクト状機体１０１に、室内の空気を吸い込む側の機体吸込口１０２に吸込側ダクト１０３、室外に空気を吹き出す側の機体吹出口１０４に吹出側ダクト１０５を接続して設置され、ダクト状機体１０１の内部に遠心送風機１０６を配し、遠心送風機１０６は吐出口１０７と渦巻状のスクロール１０８とケーシング吸込口１０９を片面に設けたケーシング側板１１０を備え、羽根車１１１をケーシング吸込口１０９近傍に固定したモーター１１２の回転軸１１３により駆動する。ダクト状機体１０１内には、吸込側風路１１４と吐出側風路１１５を区画する仕切り１１６を設け、電源接続用の電源端子台を兼ねているインバーター１１７をダクト状機体１０１内部の空気風路ではない部分である遠心送風機１０６のスクロール１０８の天面側空間１１８に収納している。モーター１１２に対向するダクト状機体１０１の側面には点検用開口１１９が設けられている。
【０００５】
そして、遠心送風機１０６を運転すると、空気は吸込側ダクト１０３を通って、仕切り１１６に沿って吸込側風路１１４を流れ、遠心送風機１０６のケーシング吸込口１０９からスクロール１０８を通過後、吐出側風路１１５を仕切り１１６に沿って流れ、吹出側ダクト１０５から流出する。
【特許文献１】特開２０００−３１４３９８号公報
【発明の開示】
【発明が解決しようとする課題】
【０００６】
このような従来の消音ボックス付送風機では、インバーター１１７を空気風路ではない部分である遠心送風機１０６のスクロール１０８の天面側空間１１８に設置するため、吸込側風路１１４と吐出側風路１１５を区画する仕切り１１６を設ける必要があり構造が複雑となり、さらに天面側空間１１８確保のためダクト状機体１０１の外寸が大きくなっていた。また、電源接続用の電源端子台を兼ねているインバーター１１７が、点検用開口１１９と異なる面に配置されることとなり２方向からの作業が必要でメンテナンス性が悪い上に、狭い天井裏等の設置スペースでは天面側のスペースは少なくなり、天面に配置されているインバーター１１７の電源端子台への施工性が悪い。また、メンテナンス性と電源接続の施工性を確保しながら、ダクト状機体１０１の外寸を小さくしようとすると、インバーター１１７を点検用開口１１９側の面のダクト状機体１０１内に配置することとなり、仕切り１１６による天面側空間１１８が無駄なスペースとなるという課題がある。
【０００７】
本発明は、このような従来の課題を解決するものであり、電源端子台を固定した端子台ベースを備えた端子台ベースカバーをモーター側のケーシング側板前風路に向けて突出することで、機体外寸を小さくすることができ、端子台ベースカバーを機体内に配置した際に端子台ベースカバーへの気流衝突による風量低下を抑制できる。また、端子台ベースカバーにより端子台ベースとケーシング側板前風路の間に空気層を設けることで、内部気体温度の端子台ベースへの伝熱を抑制し、端子台ベース内の結露の発生を抑制する消音ボックス付送風機を提供することを目的とする。
【課題を解決するための手段】
【０００８】
本発明の消音ボックス付送風機は、上記目的を達成するために、機体吸込口と機体吹出口を対向して設けた箱状の機体の内部に両吸込型遠心送風機を備え、前記両吸込型遠心送風機は吐出口と渦巻状のスクロールとケーシング吸込口を設けたケーシング側板を両側面に備え、羽根車を前記ケーシング吸込口近傍に固定したモーターの回転軸により駆動し、前記モーターに対向した前記機体側面に点検用開口を有し、前記機体吸込口から前記ケーシング吸込口への風路は、前記ケーシング吸込口と対向する前記機体内面に挟まれたケーシング側板前風路を形成した消音ボックス付送風機であって、前記点検用開口と同一面の機体に箱型の端子台ベースカバーを備え、前記端子台ベースカバーの内部に電源端子台を内部に固定した箱型の端子台ベースを配し、前記端子台ベースカバーは前記機体表面から前記モーター側の前記ケーシング側板前風路に向けて突出して配置され、前記点検用開口は点検パネルにて閉塞する構成としたものである。
【０００９】
また、他の手段は、端子台ベースカバーを羽根車の回転軸から機体吹出口の間に配置する構成としたものである。
【００１０】
また、他の手段は、機体吸込口と機体吹出口を対向して設けた箱状の機体の内部に片吸込型遠心送風機を備え、前記片吸込型遠心送風機は吐出口と渦巻状のスクロールとケーシング吸込口を片面に設けたケーシング側板を備え、羽根車を前記ケーシング吸込口近傍に固定したモーターの回転軸により駆動し、前記モーターに対向した前記機体側面に点検用開口を有し、前記機体吸込口から前記ケーシング吸込口への風路は、前記ケーシング吸込口と対向する前記機体内面に挟まれたケーシング側板前風路を形成した消音ボックス付送風機であって、前記点検用開口と同一面の機体に箱型の端子台ベースカバーを備え、前記端子台ベースカバーの内部に電源端子台を内部に固定した箱型の端子台ベースを配し、前記端子台ベースカバーは前記機体表面から前記モーター側の前記ケーシング側板前風路に向けて突出して配置され、前記点検用開口は点検パネルにて閉塞し、前記端子台ベースカバーを羽根車の回転軸から機体吹出口の間に配置する構成としたものである。
【００１１】
また、他の手段は、端子台ベースカバーの機体吸込口に対向する面をケーシング吸込口側に向けて斜めに形成した整流面とする構成としたものである。
【００１２】
また、他の手段は、端子台ベースカバーをスクロールの舌部からスクロール反舌部側平坦部の間の非昇圧スクロール空間の位置に対向して配置する構成としたものである。
【００１３】
また、他の手段は、機体内面に吸音材を配し、端子台ベースカバーのケーシング側板前風路に向けた端子台ベースカバー突出高さを端子台ベースカバー側吸音材厚みより高くする構成としたものである。
【００１４】
また、他の手段は、端子台ベースカバーと端子台ベースを一体化して形成し、機体に固定する構成としたものである。
【００１５】
また、他の手段は、端子台ベースカバーを点検パネルと独立して機体に固定する構成としたものである。
【００１６】
また、他の手段は、端子台ベースカバーを水密する端子台カバーを設け、端子台ベースの端子台カバー取り付け面に対向する位置に電源端子台を配置する構成としたものである。
【００１７】
また、他の手段は、施工用吊り金具を端子台ベースカバーを配した面以外の機体外面に固定する構成としたものである。
【発明の効果】
【００１８】
本発明によれば、機体吸込口と機体吹出口を対向して設けた箱状の機体の内部に両吸込型遠心送風機を備え、前記両吸込型遠心送風機は吐出口と渦巻状のスクロールとケーシング吸込口を設けたケーシング側板を両側面に備え、羽根車を前記ケーシング吸込口近傍に固定したモーターの回転軸により駆動し、前記モーターに対向した前記機体側面に点検用開口を有し、前記機体吸込口から前記ケーシング吸込口への風路は、前記ケーシング吸込口と対向する前記機体内面に挟まれたケーシング側板前風路を形成した消音ボックス付送風機であって、前記点検用開口と同一面の機体に箱型の端子台ベースカバーを備え、前記端子台ベースカバーの内部に電源端子台を内部に固定した箱型の端子台ベースを配し、前記端子台ベースカバーは前記機体表面から前記モーター側の前記ケーシング側板前風路に向けて突出して配置され、前記点検用開口は点検パネルにて閉塞する構成としたことにより、機体外寸を小さくすることができ、風量低下を抑制でき、端子台ベース内の結露を抑制できるという効果のある消音ボックス付送風機を提供することができる。
【００１９】
また、端子台ベースカバーを羽根車の回転軸から機体吹出口の間に配置する構成としたことにより、風量を増加でき、入力を低減できるという効果のある消音ボックス付送風機を提供することができる。
【００２０】
また、機体吸込口と機体吹出口を対向して設けた箱状の機体の内部に片吸込型遠心送風機を備え、前記片吸込型遠心送風機は吐出口と渦巻状のスクロールとケーシング吸込口を片面に設けたケーシング側板を備え、羽根車を前記ケーシング吸込口近傍に固定したモーターの回転軸により駆動し、前記モーターに対向した前記機体側面に点検用開口を有し、前記機体吸込口から前記ケーシング吸込口への風路は、前記ケーシング吸込口と対向する前記機体内面に挟まれたケーシング側板前風路を形成した消音ボックス付送風機であって、前記点検用開口と同一面の機体に箱型の端子台ベースカバーを備え、前記端子台ベースカバーの内部に電源端子台を内部に固定した箱型の端子台ベースを配し、前記端子台ベースカバーは前記機体表面から前記モーター側の前記ケーシング側板前風路に向けて突出して配置され、前記点検用開口は点検パネルにて閉塞し、前記端子台ベースカバーを羽根車の回転軸から機体吹出口の間に配置する構成としたことにより、機体外寸を小さくすることができ、風量を増加でき、入力を低減でき、端子台ベース内の結露を抑制できるという効果のある消音ボックス付送風機を提供することができる。
【００２１】
また、端子台ベースカバーの機体吸込口に対向する面をケーシング吸込口側に向けて斜めに形成した整流面とする構成としたことにより、ケーシング側板前風路での気流衝突による圧力損失の増加を防止し、風量を増加でき、入力を低減できるという効果のある消音ボックス付送風機を提供することができる。
【００２２】
また、端子台ベースカバーをスクロールの舌部からスクロール反舌部側平坦部の間の非昇圧スクロール空間の位置に対向して配置する構成としたことにより、ケーシング側板前風路での気流衝突による圧力損失の増加を防止し、風量を増加でき、入力を低減できるという効果のある消音ボックス付送風機を提供することができる。
【００２３】
また、機体内面に吸音材を配し、端子台ベースカバーのケーシング側板前風路に向けた端子台ベースカバー突出高さを端子台ベースカバー側吸音材厚みより高くする構成としたことにより、風量を増加でき、入力を低減でき、騒音を抑制できるという効果のある消音ボックス付送風機を提供することができる。
【００２４】
また、端子台ベースカバーと端子台ベースを一体化して形成し、機体に固定する構成としたことにより、端子台ベース内の結露抑制力を向上できるという効果のある消音ボックス付送風機を提供することができる。
【００２５】
また、端子台ベースカバーを点検パネルと独立して機体に固定する構成としたことにより、メンテナンス時の作業性を向上できるという効果のある消音ボックス付送風機を提供することができる。
【００２６】
また、端子台ベースカバーを水密する端子台カバーを設け、端子台ベースの端子台カバー取り付け面に対向する位置に電源端子台を配置する構成としたことにより、機体天面に滴下する水の電源端子台への付着を抑制でき、安全性を向上できるという効果のある消音ボックス付送風機を提供することができる。
【００２７】
また、施工用吊り金具を端子台ベースカバーを配した面以外の機体外面に固定する構成としたことにより、スクロールの大きさに応じて、機体外寸を小さくすることができるという効果のある消音ボックス付送風機を提供することができる。
【発明を実施するための最良の形態】
【００２８】
本発明の請求項１記載の消音ボックス付送風機は、機体吸込口と機体吹出口を対向して設けた箱状の機体の内部に両吸込型遠心送風機を備え、前記両吸込型遠心送風機は吐出口と渦巻状のスクロールとケーシング吸込口を設けたケーシング側板を両側面に備え、羽根車を前記ケーシング吸込口近傍に固定したモーターの回転軸により駆動し、前記モーターに対向した前記機体側面に点検用開口を有し、前記機体吸込口から前記ケーシング吸込口への風路は、前記ケーシング吸込口と対向する前記機体内面に挟まれたケーシング側板前風路を形成した消音ボックス付送風機であって、前記点検用開口と同一面の機体に箱型の端子台ベースカバーを備え、前記端子台ベースカバーの内部に電源端子台を内部に固定した箱型の端子台ベースを配し、前記端子台ベースカバーは前記機体表面から前記モーター側の前記ケーシング側板前風路に向けて突出して配置され、前記点検用開口は点検パネルにて閉塞する構成としたものであり、モーターはケーシング吸込口を閉塞しているため、ケーシング側板前風路の風量はモーター側は反モーター側に対し少なく、端子台ベースカバーを機体表面から風量の少ない側の風路であるモーター側のケーシング側板前風路に向けて突出することで、機体外面への電源端子台の露出を小さくしながら、気流衝突が少なく機体内部の圧力損失を小さくできる。かつ、風路内に端子台ベースを配置しているため、内部気体の温度が端子台ベースに伝わってしまい、端子ベースカバーにより端子台ベースと風路の間に空気層を設けることで、内部気体温度の端子台ベースへの伝熱を抑制できるという作用を有する。
【００２９】
また、端子台ベースカバーを羽根車の回転軸から機体吹出口の間に配置する構成としたものであり、ケーシング側板前風路からの気流は、端子台ベースに流路を塞がれて偏向し、ケーシング吸込口に向かうケーシング吸込口前気流となることで、羽根車の回転軸方向に気流を流入でき、羽根車への気流流入負荷を小さくできるという作用を有する。
【００３０】
また、機体吸込口と機体吹出口を対向して設けた箱状の機体の内部に片吸込型遠心送風機を備え、前記片吸込型遠心送風機は吐出口と渦巻状のスクロールとケーシング吸込口を片面に設けたケーシング側板を備え、羽根車を前記ケーシング吸込口近傍に固定したモーターの回転軸により駆動し、前記モーターに対向した前記機体側面に点検用開口を有し、前記機体吸込口から前記ケーシング吸込口への風路は、前記ケーシング吸込口と対向する前記機体内面に挟まれたケーシング側板前風路を形成した消音ボックス付送風機であって、前記点検用開口と同一面の機体に箱型の端子台ベースカバーを備え、前記端子台ベースカバーの内部に電源端子台を内部に固定した箱型の端子台ベースを配し、前記端子台ベースカバーは前記機体表面から前記モーター側の前記ケーシング側板前風路に向けて突出して配置され、前記点検用開口は点検パネルにて閉塞し、前記端子台ベースカバーを羽根車の回転軸から機体吹出口の間に配置する構成としたものであり、端子台ベースカバーを機体表面からモーター側のケーシング側板前風路に向けて突出することで、機体外面への電源端子台の露出を小さくしながら、ケーシング側板前風路からの気流は、端子台ベースカバーに流路を塞がれて偏向し、片吸込型遠心送風機のケーシング吸込口に向かうケーシング吸込口前気流となることで、羽根車の回転軸方向に気流を流入でき、羽根車への気流流入負荷を小さくできる。かつ、風路内に端子台ベースを配置しているため、内部気体の温度が端子台ベースに伝わってしまい、端子ベースカバーにより端子台ベースと風路の間に空気層を設けることで、内部気体温度の端子台ベースへの伝熱を抑制できるという作用を有する。
【００３１】
また、端子台ベースカバーの機体吸込口に対向する面をケーシング吸込口側に向けて斜めに形成した整流面とする構成としたものであり、端子台ベースに整流面を設けることで、ケーシング側板前風路からの気流は、端子台ベースに衝突することなく偏向し、ケーシング吸込口に向かうケーシング吸込口前気流となることで、羽根車の回転軸方向に気流を流入でき、羽根車への気流流入負荷を小さくできるという作用を有する。
【００３２】
また、端子台ベースカバーをスクロールの舌部からスクロール反舌部側平坦部の間の非昇圧スクロール空間の位置に対向して配置する構成としたものであり、端子台ベースを非昇圧スクロール空間の位置に対向して配置することで、ケーシング側板前風路からの気流は、端子台ベースにて昇圧スクロール空間に分流し、ケーシング吸込口に向かうケーシング吸込口前気流となることで、羽根車の回転軸方向に気流を流入でき、羽根車への気流流入負荷を小さくできるという作用を有する。
【００３３】
また、機体内面に吸音材を配し、端子台ベースカバーのケーシング側板前風路に向けた端子台ベースカバー突出高さを端子台ベースカバー側吸音材厚みより高くする構成としたものであり、ケーシング側板前風路からの気流は、吸音材から突出した端子台ベースにて偏向し、ケーシング吸込口に向かうケーシング吸込口前気流となることで、羽根車の回転軸方向に気流を流入でき、羽根車への気流流入負荷を小さくできるという作用を有する。
【００３４】
また、端子台ベースカバーと端子台ベースを一体化して形成し、機体に固定する構成としたものであり、端子台ベースカバーと端子台ベース間の内部空気層の気密性を増し、端子台ベースカバーの断熱性能を向上できるという作用を有する。
【００３５】
また、端子台ベースカバーを点検パネルと独立して機体に固定する構成としたものであり、点検パネルを外した状態で端子台ベースカバーは機体に固定されて電源端子台に電源施工を行うことができることで、点検パネルの着脱作業を行うのみで、点検用開口からモーターと羽根車の試運転状態を確認できるという作用を有する。
【００３６】
また、端子台ベースカバーを水密する端子台カバーを設け、端子台ベースの端子台カバー取り付け面に対向する位置に電源端子台を配置する構成としたものであり、機体天面に滴下する水に対し、端子台カバーにより端子台ベース内への水の浸入を防ぎ、電源端子台は端子台カバー取り付け面から離れて位置することで、電源端子台への水の付着を防止できるという作用を有する。
【００３７】
また、施工用吊り金具を端子台ベースカバーを配した面以外の機体外面に固定する構成としたものであり、施工用吊り金具を端子台ベースカバーを配した面以外の機体外面に固定することで、スクロールが小さく回転軸から機体吹出口の間の距離が小さい場合において、端子台ベースカバーを施工用吊り金具に干渉することなく機体吹出口近傍に配置することができるという作用を有する。
【００３８】
以下、本発明の実施の形態について、図面を参照しながら説明する。
【００３９】
（実施の形態１）
図１に示すように、機体吸込口１と機体吹出口２を箱状の機体３の対向する側面に設けている。機体３には、機体吸込口１に吸込側ダクト４を接続する吸込アダプター５、および機体吹出口２には、吹出側ダクト６を接続する吹出アダプター７を配している。機体３の内部には、機体吸込口１から機体吹出口２に至る風路８を有し、その風路８に両吸込型遠心送風機９を配している。
【００４０】
両吸込型遠心送風機９には、モーター１０に回転軸１１を介して固定した羽根車１２と、機体吹出口２に対向する吐出口１３と、渦巻き状のスクロール１４と、両側面のケーシング側板１５からなるファンケーシング１６とを有している。ケーシング側板１５には、ケーシング吸込口１７を開口したオリフィス１８を配している。
【００４１】
モーター１０に対向した機体３側面に点検用開口１９を有し、点検用開口１９とほぼ同寸法の点検パネル２０にて点検用開口１９は閉塞される。
【００４２】
機体吸込口１からケーシング吸込口１７への風路は、ケーシング吸込口１７と対向する機体３内面に挟まれたケーシング側板前風路２１を形成し、点検用開口１９と同一面の機体３に箱型の端子台ベースカバー２２を配し、端子台ベースカバー２２内部には電源端子台２３を内部に固定した箱型の端子台ベース２４配し、端子台ベースカバー２２と端子台ベース２４の間には空気層２５が設けられている。端子台ベースカバー２２は機体３表面からモーター１０側のケーシング側板前風路２１に向けて突出して配置され、端子台ベースカバー２２近傍でケーシング吸込口１７に向かうケーシング吸込口前気流２６が流れる構成とする。
【００４３】
また、端子台ベースカバー２２を羽根車１２の回転軸１１から機体吹出口２の間に配置する構成とする。
【００４４】
また、図２に示すように、天井裏２７において機体吸込口１に吸込側ダクト４、機体吹出口２に吹出側ダクト６を接続して機体３は施工され、機体３は、吸込側に機体吸込口１、吹出側に機体吹出口２、機体３の内部に両吸込型遠心送風機９、外面に施工用吊り金具２８を配している。機体３は天井面２９に埋め込まれた吊りボルト３０に施工用吊り金具２８を固定することで、天井裏２７に設置される。そして、両吸込型遠心送風機９を運転すると、室内３１の空気が吸込側ダクト４、両吸込型遠心送風機９を介して吹出側ダクト６を通過し、室外３２に排気している。天井裏２７と室内３１は天井材３３で仕切られ、天井材３３の機体３の下部に天井点検口３４を備えている。
【００４５】
上記構成により、モーター１０はケーシング吸込口１７の中央部を塞いでいるため、ケーシング側板前風路２１の風量はモーター側は反モーター側に対し少なく、端子台ベースカバー２２を機体３表面から風量の少ない側の風路であるモーター１０側のケーシング側板前風路２１に向けて突出することで、機体３外面への電源端子台２３の露出を小さくしながら、気流衝突が少なく機体３内部の圧力損失を小さくできる。
【００４６】
また、ケーシング側板前風路２１からの気流は、端子台ベースカバー２２に流路を塞がれて偏向し、ケーシング吸込口１７に向かうケーシング吸込口前気流２６となることで、羽根車１２の回転軸１１方向に気流を流入でき、羽根車１２への気流流入負荷を小さくできる。
【００４７】
また、端子台ベースカバー２２と端子台ベース２４の間に空気層２５を設けることで、ケーシング吸込口前気流２６の気体温度が空気層２５で断熱され端子台ベース２４への気体温度の伝熱を抑制できる。
【００４８】
このように本発明の実施の形態１の消音ボックス付送風機によれば、機体３外寸を小さくすることができ、風量低下を抑制できることとなる。
【００４９】
また、風量を増加でき、入力を低減できることとなる。
【００５０】
また、端子台ベース２４内の結露を抑制することができる。
【００５１】
さらに、機体３を小さくできるため、天井裏２７の空間を低くすることで室内３１の居住空間高さを広く確保することができ、また風量を確保しながらも両吸込型遠心送風機９を大きくする必要がないため、両吸込型遠心送風機９をメンテナンス時に取り出す際、天井点検口３４が小さい場合でも容易に作業ができることでメンテナンス性が良くなる。
【００５２】
（実施の形態２）
図３に示すように、機体吸込口１と機体吹出口２を箱状の機体３の対向する側面に設けている。機体３には、機体吸込口１に吸込側ダクト４を接続する吸込アダプター５、および機体吹出口２には、吹出側ダクト６を接続する吹出アダプター７を配している。機体３の内部には、機体吸込口１から機体吹出口２に至る風路８を有し、その風路８に片吸込型遠心送風機３５を配している。
【００５３】
片吸込型遠心送風機３５には、モーター１０に回転軸１１を介して固定した羽根車１２と、機体吹出口２に対向する吐出口１３と、渦巻き状のスクロール１４と、両側面のケーシング側板１５からなるファンケーシング１６とを有している。モーター１０側のケーシング側板１５には、ケーシング吸込口１７を開口したオリフィス１８を配している。
【００５４】
モーター１０に対向した機体３側面に点検用開口１９を有し、点検用開口１９とほぼ同寸法の点検パネル２０にて点検用開口１９は閉塞される。
【００５５】
機体吸込口１からケーシング吸込口１７への風路は、ケーシング吸込口１７と対向する機体３内面に挟まれたケーシング側板前風路２１を形成し、点検用開口１９と同一面の機体３に箱型の端子台ベースカバー２２を配し、端子台ベースカバー２２内部には電源端子台２３を内部に固定した箱型の端子台ベース２４配し、端子台ベースカバー２２と端子台ベース２４の間には空気層２５が設けられている。端子台ベースカバー２２は機体３表面からモーター１０側のケーシング側板前風路２１に向けて突出して配置され、端子台ベースカバー２２近傍でケーシング吸込口１７に向かうケーシング吸込口前気流２６が流れる構成とし、端子台ベースカバー２２を羽根車１２の回転軸１１から機体吹出口２の間に配置する構成とする。
【００５６】
なお、施工用吊り金具２８を用いた天井裏への施工方法については実施の形態１と同じである。
【００５７】
上記構成により、端子台ベースカバー２２を機体３表面からモーター１０側のケーシング側板前風路２１に向けて突出することで、機体３外面への電源端子台２３の露出を小さくしながら、ケーシング側板前風路２１からの気流は、端子台ベースカバー２２に流路を塞がれて偏向し、ケーシング吸込口１７に向かうケーシング吸込口前気流２６となることで、羽根車１２の回転軸１１方向に気流を流入でき、羽根車１２への気流流入負荷を小さくできる。
【００５８】
また、端子台ベースカバー２２と端子台ベース２４の間に空気層２５を設けることで、ケーシング吸込口前気流２６の気体温度が空気層２５で断熱され端子台ベース２４への気体温度の伝熱を抑制できる。
【００５９】
このように本発明の実施の形態２の消音ボックス付送風機によれば、機体３外寸を小さくすることができ、風量を増加でき、入力を低減できることとなる。
【００６０】
また、端子台ベース２４内の結露を抑制することができる。
【００６１】
（実施の形態３）
図４に示すように、端子台ベースカバー２２の機体吸込口１に対向する面をケーシング吸込口１７側に向けて斜めに形成した整流面３６とする構成とする。
【００６２】
上記構成により、ケーシング側板前風路２１からの気流は、端子台ベースカバー２２に衝突することなく偏向し、ケーシング吸込口１７に向かうケーシング吸込口前気流２６となることで、羽根車１２の回転軸１１方向に気流を流入でき、羽根車１２への気流流入負荷を小さくできる。
【００６３】
このように本発明の実施の形態３の消音ボックス付送風機によれば、ケーシング側板前風路２１での気流衝突による圧力損失の増加を防止し、風量を増加でき、入力を低減できることとなる。
【００６４】
（実施の形態４）
図５に示すように、端子台ベースカバー２２を両吸込型遠心送風機９のスクロール１４の舌部３７からスクロール反舌部側平坦部３８の間の非昇圧スクロール空間３９の位置に対向して配置する構成とする。
【００６５】
上記構成によれば、端子台ベースカバー２２を非昇圧スクロール空間３９の位置に対向して配置することで、ケーシング側板前風路２１からの気流は、端子台ベースカバー２２にて非昇圧スクロール空間３９に分流し、ケーシング吸込口１７に向かうケーシング吸込口前気流２６となることで、羽根車１２の回転軸１１方向に気流を流入でき、羽根車１２への気流流入負荷を小さくできる。これは、スクロール１４の対数螺旋拡大の終了部から舌部３７の間の非昇圧スクロール空間３９は、一般に遠心送風機の送風効率が低いとされている領域であることから、この領域に気流の障害物となる端子台ベースカバー２２を配置することで、気流衝突による送風効率の低下を防いでいることとなる。
【００６６】
このように本発明の実施の形態４の消音ボックス付送風機によれば、ケーシング側板前風路２１での気流衝突による圧力損失の増加を防止し、風量を増加でき、入力を低減できることとなる。
【００６７】
なお、必要風量に応じて、両吸込型遠心送風機９の代わりに片吸込型遠心送風機を使用する構成としてもその作用効果に差異を生じない。
【００６８】
（実施の形態５）
図６に示すように、機体３内面に吸音材４０を配し、端子台ベースカバー２２のケーシング側板前風路２１に向けた端子台ベースカバー突出高さ４２を端子台ベースカバー側吸音材厚み４３より高くする構成とする。
【００６９】
上記構成により、ケーシング側板前風路２１からの気流は、吸音材４０から突出した端子台ベースカバー２２にて偏向し、ケーシング吸込口１７に向かうケーシング吸込口前気流２６となることで、羽根車１２の回転軸１１方向に気流を流入でき、羽根車１２への気流流入負荷を小さくできる。
【００７０】
このように本発明の実施の形態５の消音ボックス付送風機によれば、機体３内面に吸音材４０を配し、端子台ベースカバー２２のケーシング側板前風路２１に向けた端子台ベースカバー突出高さ４２を端子台ベースカバー側吸音材厚み４３より高くする構成としたことにより、風量を増加でき、入力を低減でき、騒音を抑制できることとなる。
【００７１】
（実施の形態６）
図７に示すように、端子台ベースカバー２２と端子台ベース２４を一体化して機体３に固定する構成とする。
【００７２】
上記構成により、端子台ベースカバー２２と端子台ベース２４間の内部の空気層２５の気密性を増すことができ、端子台ベースカバーの断熱性能を向上できる。
【００７３】
このように本発明の実施の形態６の消音ボックス付送風機によれば、端子台ベースカバー２２と端子台ベース２４を一体化して形成し、機体３に固定する構成としたことにより、端子台ベース２４内の結露の発生を抑制することとなる。
【００７４】
（実施の形態７）
図８に示すように、端子台ベースカバー２２を点検パネル２０と独立して機体３に固定する構成とする。
【００７５】
また、端子台ベースカバー２２を水密する端子台カバー４４を設け、端子台ベース２４の端子台カバー４４取り付け面に対向する位置に電源端子台２３を配置する構成とする。
【００７６】
また、施工用吊り金具２８を端子台ベースカバー２２を配した面以外の機体３外面に固定する構成とする。
【００７７】
上記構成により、端子台ベースカバー２２を点検パネル２０と独立して機体３に固定する構成としたものであり、点検パネル２０を外した状態で端子台ベースカバー２２は機体３に固定されて、端子台ベース２４内部の電源端子台２３に電源施工を行うことができることで、点検パネル２０の着脱作業を行うのみで、点検用開口１９からモーター１０と羽根車１２の試運転状態を確認できる。
【００７８】
また、端子台ベースカバー２２を水密する端子台カバー４４を設け、端子台ベースカバー２２内部の端子台ベース２４の端子台カバー４４取り付け面に対向する位置に電源端子台２３を配置する構成としたものであり、機体３天面に滴下する水に対し、端子台カバー４４により端子台ベース２４内への水の浸入を防ぎ、電源端子台２３は端子台カバー４４取り付け面から離れて位置することで、電源端子台２３への水の付着を防止できる。
【００７９】
また、施工用吊り金具２８を端子台ベースカバー２２を配した面以外の機体３外面に固定する構成としたものであり、施工用吊り金具２８を端子台ベースカバー２２を配した面以外の機体３外面に固定することで、スクロール１４が小さく回転軸１１から機体吹出口２の間の距離が小さい場合において、端子台ベースカバー２２を施工用吊り金具２８に干渉することなく機体吹出口２近傍に配置することができる。
【００８０】
このように本発明の実施の形態７の消音ボックス付送風機によれば、端子台ベースカバー２２を点検パネル２０と独立して機体３に固定する構成としたことにより、メンテナンス時の作業性を向上できることとなる。
【００８１】
また、端子台ベースカバー２２を水密する端子台カバー４４を設け、端子台ベースカバー２２内部の端子台ベース２４の端子台カバー４４取り付け面に対向する位置に電源端子台２３を配置する構成としたことにより、機体３天面に滴下する水の電源端子台２３への付着を抑制でき、安全性を向上できることとなる。
【００８２】
また、施工用吊り金具２８を端子台ベースカバー２２を配した面以外の機体３外面に固定する構成としたことにより、スクロール１４の大きさに応じて、機体３外寸を小さくすることができることとなる。
【産業上の利用可能性】
【００８３】
換気送風機器、空気調和機、除湿機、加湿器、空気清浄機などの空気搬送目的以外に、機体吹出口からの送風を用いて設備機器の冷却ができ、機体外寸を小さくでき、風量低下を抑制できることで、冷却効果が高く、コンパクトに設置できる設備機器の送風の用途にも適用できる。
【図面の簡単な説明】
【００８４】
【図１】本発明の実施の形態１の消音ボックス付送風機の平面構成図
【図２】同消音ボックス付送風機の設置状態を示す側面構成図
【図３】本発明の実施の形態２の消音ボックス付送風機の平面構成図
【図４】本発明の実施の形態３の消音ボックス付送風機の平面構成図
【図５】本発明の実施の形態４の消音ボックス付送風機の側面構成図
【図６】本発明の実施の形態５の消音ボックス付送風機の平面構成図
【図７】本発明の実施の形態６の端子台ベースカバー部分の斜視図
【図８】本発明の実施の形態７の消音ボックス付送風機の平面構成図
【図９】従来の消音ボックス付送風機の平面構成図
【図１０】同消音ボックス付送風機の側面構成図
【符号の説明】
【００８５】
１    機体吸込口
２    機体吹出口
３    機体
８    風路
９    両吸込型遠心送風機
１０  モーター
１１  回転軸
１２  羽根車
１３  吐出口
１４  スクロール
１５  ケーシング側板
１７  ケーシング吸込口
１９  点検用開口
２０  点検パネル
２１  ケーシング側板前風路
２２  端子台ベースカバー
２３  電源端子台
２４  端子台ベース
２５  空気層
２６  ケーシング吸込口前気流
２８  施工用吊り金具
３５  片吸込型遠心送風機
３６  整流面
３７  舌部
３８  スクロール反舌部側平坦部
３９  非昇圧スクロール空間
４０  吸音材
４２  端子台ベースカバー突出高さ
４３  端子台ベースカバー側吸音材厚み
４４  端子台カバー
【図１】
2010101183.tif 000003
【図２】
2010101183.tif 000004
【図３】
2010101183.tif 000005
【図４】
2010101183.tif 000006
【図５】
2010101183.tif 000007
【図６】
2010101183.tif 000008
【図７】
2010101183.tif 000009
【図８】
2010101183.tif 000010
【図９】
2010101183.tif 000011
【図１０】
2010101183.tif 000012